(57)【要約】【課題】本発明は、痛みを伴わず、簡単かつ安い費用で、多くのむだ毛を除毛することができ、さらに、使うほどにむだ毛が目立たなくなる、除毛具を提供する。【解決手段】手で保持できる形状で、裏側を凹状に形成した保持体の表側に除毛層を設けてなる除毛器と、容器入りジェル状組成物とを組み合わせた除毛具により課題を解決した。前記除毛層の表面にサファイア微粉末が含まれ、また、前記保持体がＡＢＳ樹脂製であり、さらに、前記ジェル状組成物がフラボステロンを含む除毛具により課題を解決した。【選択図】      図１
2004215786.tif 000002
【特許請求の範囲】
【請求項１】
手で保持できる形状の保持体の表側に除毛層を設けてなる除毛器と、容器入りジェル状組成物とを組み合わせたことを特徴とする除毛具。
【請求項２】
手で保持できる形状で、裏側を凹状に形成した保持体の表側に除毛層を設けてなる除毛器と、容器入りジェル状組成物とを組み合わせた除毛具であって、前記除毛層の表面側に硬質微粉末を含ませたことを特徴とする除毛具。
【請求項３】
手で保持できる形状で、裏側を凹状に形成した保持体の表側平面に除毛層を設けてなる除毛器と、容器入りジェル状組成物とを組み合わせた除毛具であって、前記除毛層の表面にサファイア微粉末層が形成され、かつ前記保持体がＡＢＳ樹脂製であることを特徴とする除毛具。
【請求項４】
手で保持できる形状で、裏側を凹状に形成した保持体の表側平面に除毛層を設けてなる除毛器と、容器入りジェル状組成物とを組み合わせた除毛具であって、前記除毛層の表面にサファイア微粉末層が形成され、前記保持体がＡＢＳ樹脂製であり、かつ前記ジェル状組成物がフラボステロンを含有することを特徴とする除毛具。
【発明の詳細な説明】
【０００１】
【発明の属する技術分野】
本発明は、腕や脚のむだ毛を除毛することを目的とした除毛具に関するものである。
【０００２】
【従来の技術】
従来、腕や脚のむだ毛を除毛する方法としては、粘着剤を塗布した脱毛テープの粘着部を、腕や脚の表面に貼着した後、手指でつまんで引き剥がす方法、ピンセット型やローラ型の脱毛器を使用する方法が知られている。
【０００３】
【特許文献１】特開平１０−１４６３９２
【０００４】
【発明により解決しようとする課題】
しかし、脱毛テープによる除毛方法は、十分な脱毛効果を得るため、脱毛シートを強く一気に引き剥がす必要があることから、脱毛シートをつまんだ手指が滑らないように工夫しなければならず、それだけでなく、除毛に際し、痛みを伴うという問題点があった。
【０００５】
また、脱毛器による除毛方法は、機器の費用が決して安くないため、除毛にかかる費用がどうしても高くなるという問題点があり、さらに、ピンセット型脱毛器は、個別的にむだ毛を処理するため、効率的でないという問題点があり、ローラ型脱毛器は、一度に多くの毛が集中して引き抜くため、人体にかなりの痛みを感じるという問題点がある。
【０００６】
そこで、本発明は、痛みを伴わず、簡単かつ安い費用で、多くのむだ毛を除毛することができ、さらに、使うほどにむだ毛が目立たなくなる、除毛具を提供することを目的とする。
【０００７】
【課題を解決するための手段】
本発明者は、前記課題を解決すべく、鋭意研究を重ねた結果、除毛層を有する除毛器と、ジェル状組成物とを組み合わせた除毛具により、前記従来の問題点を解決することができること見い出し、本発明を完成した。
【０００８】
即ち、本発明は、手で保持できる形状の保持体の表側に除毛層を設けてなる除毛器と、容器入りジェル状組成物とを組み合わせたことを特徴とする除毛具であり、手で保持できる形状で、裏側を凹状に形成した保持体の表側に除毛層を設けてなる除毛器と、容器入りジェル状組成物とを組み合わせた除毛具であって、前記除毛層の表面側に硬質微粉末を含ませたことを特徴とする除毛具である。
【０００９】
また、手で保持できる形状で、裏側を凹状に形成した保持体の表側平面に除毛層を設けてなる除毛器と、容器入りジェル状組成物とを組み合わせた除毛具であって、前記除毛層の表面にサファイア微粉末層が形成され、かつ前記保持体がＡＢＳ樹脂製であることを特徴とする除毛具であり、手で保持できる形状で、裏側を凹状に形成した保持体の表側平面に除毛層を設けてなる除毛器と、容器入りジェル状組成物とを組み合わせた除毛具であって、前記除毛層の表面にサファイア微粉末層が形成され、前記保持体がＡＢＳ樹脂製であり、かつ前記ジェル状組成物がフラボステロンを含有することを特徴とする除毛具である。
【００１０】
本発明における除毛層は、除毛材を塗布、吹付け又は除毛シートを接着するなど、除毛効果のある材料を設ける。また、除毛層の面は、平面或いは曲面であって、除毛部位へ平均的に当接できればよい。
【００１１】
本発明における除毛層は、表面に硬質微粉末（例えば、サファイア微粉末）を含ませて、むだ毛の切断を容易にしている。
【００１２】
また、本発明におけるジェル状組成物にはフラボステロンを含有させ、肌に潤いを与え、さらにむだ毛を抑えている。
【００１３】
本発明は、前記のように、除毛器と、容器入りジェル状組成物とを組み合わせることによって、除毛器を使用する際、除毛層の表面に適量のジェル状組成物を塗布することにより、除毛層と皮膚との接着性を良好にすると共に、除毛時の痛みを著しく軽減させることができる。
【００１４】
また、保持体の表側に弾性層（例えば、スポンジ層）を介して除毛層を接着すれば、皮膚へ均等に当接できる。
【００１５】
【発明の実施の形態】
本発明の除毛具は、手で保持できる形状で、裏側を凹状に形成した保持体と、当該保持体の表側平面又は曲面に除毛層を塗布、吹付け又は接着して設けた除毛器と、容器入りジェル状組成物を組み合わせたものである（図１）。
【００１６】
【実施例】
本発明の除毛具の実施例を図面に基づいて説明する。
【００１７】
本発明の除毛具は、図１に示すように、平面ハート形の保持体１０の表側平面に円形の除毛層２０を接着した除毛器２と、筒状容器入りジェル状組成物３とを組み合わせて除毛具１としたものである。
【００１８】
ここで、保持体１０の材質は、特に限定されないが、加工容易、軽量、かつ安価であるという点から、プラスチックがよく、成形収縮率が小さく、優れた衝撃、剛性、耐熱、成形性等の物性バランスを持ち、メッキ性が良く、射出成型品として幅広く用いられ、高品質なリサイクルを可能とする点などから、ＡＢＳ樹脂が好ましい。
【００１９】
保持体１０の裏側凹入部１３は、材料を可及的に少なくする軽量化などの観点から、凹状に形成されているが、前記形状に限定されるものではない。
【００２０】
前記実施例では、保持体１０の表側平面１１の平面形状は、ハート形になっているが、これに限定されず、平面形状は円形、正方形、長方形、五角形、六角形等の各種形状を採用することができる。要は持ち易い形状とする。
【００２１】
除毛器２の除毛層２０は、除毛器２の保持体１０の表側平面１１に接着され、ジェル状組成物４を介して肌に接触する。
【００２２】
前記除毛層２０は、その表面に硬質微粉末（例えばサファイア微粉末）を含ませるのが好ましい。前記サファイア微粉末は、むだ毛とほどよく絡みつくだけでなく、除毛操作により腕や脚から離脱したむだ毛を、黒い小さな固まりにするのに役立つからである。
【００２３】
なお、除毛層の表面にサファイア微粉末を含ませる方法は、特に限定されないが、例えば、サファイア微粉末を台紙に塗布、吹付け又は樹脂に混入してシート状にするなどの方法が挙げられる。
【００２４】
本発明の除毛具１に使用するジェル状組成物４は、除毛器２の除毛層２０の表面と肌の間に生じる摩擦力等を緩和し、除毛器２による除毛を容易にし、かつ痛みを緩和する。
【００２５】
前記ジェル状組成物４は、合成樹脂容器５に入れ又はチューブ状容器に入れて所定量の取り出しを容易にしてあるが、包装方法に限定はない。
【００２６】
また、ジェル状組成物の成分としては、フラボステロンを含ませるのが好ましい。即ち、フラボステロンは、女性ホルモンと似た働きをし、肌に潤いを与え、さらにむだ毛を抑えるからである。また、ジェル状組成物は、例えば、水、ブチレングリコール（ＢＧ）、グリセリン、マルチトール、トリエタノールアミン（ＴＥＡ）、カルボマー、加水分解コラーゲン、ダイズエキス、コムギたん白液、メチルグリセス、パラベン、ラウレス、グリチルリチン酸、チタンサンガム、フェノキシエタノール、クエン酸ナトリウム、メントール、オキシベンゾンを含有してなるのがさらに好ましい。前記各成分割合は例えば表１に記載した通りである。
【００２７】
【表１】
2004215786.tif 000003
【００２８】
前記ジェル状組成物には、揮発性成分も含まれるため、例えば、図１のような容器に収容し、除毛する際、図４のように除毛器２の除毛層２０の表面に必要量だけ付着して使用する。
【００２９】
次に、本発明の除毛具１を用いて除毛する方法の一例を示すと、まず、ジェル状組成物４の適量を容器５を矢示のように押さえ、その注出部５ａから矢示７のように注出して除毛器２の除毛層２０の表面に付着させる（図４）とともに、ジェル状組成物４を腕や脚の除毛部位に薄く塗る。前記、ジェル状組成物の適量は、例えば腕半分に１０ｍｇ〜１５ｍｇである。
【００３０】
ついで、除毛器２を手で保持し、ジェル状組成物４が付着した除毛層２０の表面を除毛予定の肌に軽くあて、円を描くようにクルクルと一方向にまわしこすりする（図５）。
【００３１】
最初のうちは、とれたむだ毛は除毛層２０に付くが、その後黒い小さな固まりになり、きれいにとれる。ここで、ジェル状組成物が乾いたら、追加する。ジェル状組成物を塗りすぎると、時間がかかるが、除毛器２の回転を続けていると次第にきれいにとれるので、塗布料に厳しい制約はない。
【００３２】
除毛終了後の除毛器２を、水で軽く洗い、乾かすと、使用前の状態になるので、繰り返し使用することができる。
【００３３】
【発明の効果】
本発明の除毛具によれば、痛みを伴わず、簡単に多くのむだ毛を除毛することができる優れた効果がある。
【００３４】
本発明の除毛具に用いる除毛器は、水で軽く洗った後、乾かせば、繰り返し使用することができるため、本発明の除毛具により、比較的安い費用で多くのむだ毛を除毛することができる効果がある。
【００３５】
本発明の除毛具に用いる容器入りジェル状組成物は、容器に収容されているため、揮発性成分も使用時まで保持され、ジェル状組成物の持つ効能を長時間維持することができる効果がある。
【００３６】
本発明の除毛具は、カミソリ除毛後のいわゆるツンツンのむだ毛もきれいにとれると共に、除毛後の肌に潤いを与え、かつ紫外線から肌を守り、むだ毛が抑えられ、肌が若々しく保たれるなどの諸効果がある。
【００３７】
本発明の除毛具は、使うほどにむだ毛が目立たなくなるため、むだ毛処理のスピードも向上する効果がある。
【図面の簡単な説明】
【図１】（ａ）本発明に使用する除毛器の実施例の斜視図。
（ｂ）同じく容器入りジェル組成物の実施例の斜視図。
【図２】（ａ）同じく除毛器の実施例の平面図。
（ｂ）同じく一部を切断した正面図。
【図３】同じく除毛器の実施例の裏側斜視図。
【図４】同じく除毛器にジェル状組成物を注出する状態の説明図。
【図５】同じく除毛器を用いて除毛する状態の説明図。
【符号の説明】
１    除毛具
２    除毛器
３    容器入りジェル状組成物
４    ジェル状組成物
５    容器
１０  保持体
１１  保持体の表側平面
１２  保持体の側面
１３  保持体の裏側凹入部
２０  除毛層
【図１】
2004215786.tif 000004
【図２】
2004215786.tif 000005
【図３】
2004215786.tif 000006
【図４】
2004215786.tif 000007
【図５】
2004215786.tif 000008